(57)【特許請求の範囲】
【請求項１】
セットされた原稿のカラー画情報を受け取る画像読取手段と、通信相手先からカラー画情報を受信する画像受信手段と、前記画像読取手段で読み取ったカラー画情報または前記画像受信手段で受信したカラー画情報を、カラーインクまたはカラーサーマルを用いて記録紙にカラー記録するカラー記録手段とを有するカラーファクシミリ装置において、相手機の画像読取手段の特性を補正するための補正データテーブルを登録する受信用補正テーブル登録手段と、受信した時に、送信相手先から相手機のデータ番号を受信する場合、前記受信用補正テーブル登録手段からその相手機のデータ番号に対応したデータを補正データテーブルから読み出し、読み出した補正データテーブルのデータに基づいてマスキングデータを設定する設定手段と、デコードされた後のＹ，Ｍ，Ｃデータを設定したマスキングデータに基づいて補正する補正手段とを有するとともに、
自機読取部の補正テーブルを登録するコピー用登録手段を有し、かつ前記設定手段は、コピー時に前記コピー用登録手段から自機読取部の補正テーブルを読み出し、読み出した補正テーブルのデータに基づいてマスキングデータを設定することを特徴とするカラーファクシミリ装置。
【発明の詳細な説明】
【０００１】
【産業上の利用分野】
本発明は、カラーファクシミリ装置に係り、詳しくは、インクジェットを用いたカラーファクシミリ装置の色補正技術に適用することができる他、多値ディザ法や多値誤差拡散法等を適用して、カラー印字を行う技術に応用することができ、特に、記録紙に記録されるインクの滲みによる色の再現性を補正して、記録紙に記録される色の再現性を向上させることができるカラーファクシミリ装置に関する。
【０００２】
【従来の技術】
ファクシミリ装置の画像記録部には、一般に感熱紙に画像を記録する感熱記録方式のものが良く採用されている。しかしながら、この感熱記録方式に利用される感熱紙は、熱や摩擦あるいは薬品等によって変色する性質があるため、記録画像を保存して利用する場合には、不向きであると言われている。
【０００３】
一方、感熱記録方式ではなく電子写真記録方式の画像記録部を備えたファクシミリ装置は、感熱紙ではなく普通紙に画像を記録するため、感熱記録方式を採用した場合と較べて記録画像を保存する場合に好適である。
しかしながら、この電子写真記録方式の画像記録部は、電子写真記録方式を採っているため、感熱記録方式と較べて機器構成が複雑となり、装置コストが増加するという欠点がある。
【０００４】
ところで、近年、パーソナルコンピュータ（以下、パソコンと記す）が広く普及している。パソコンは、通常、プリンタ等の入出力装置が接続され、コンピュータシステムとして広く利用されている。
このようなパソコン用に利用されるプリンタの場合は、普通紙に情報を記録することができるもので、かつ非常に安価であるものが、良く利用されている。
【０００５】
特に、近年、カラーインクジェットを用いて普通紙に記録するプリンタにおいては、複数のカラーインクを備えることができるため、カラー画像を普通紙に容易に、かつ低コストで記録することができるという利点を有している。従って、このようなカラー・インクジェット・プリンターを用いたファクシミリ装置が検討されてきている。
【０００６】
インクジェットは、図１１に示す如く、例えば定められた３６０ＤＰＩ間隔にひとつずつ構成されたノズル１００１を用い、熱や圧力により、ノズル１００１からインクの玉１００２を噴出して記録紙１００３に記録する構造を取っている。このため、定められたノズル１００１の間隔で、定められた量の円形形状のインクの玉１００２が記録紙１００３上に構成される。
【０００７】
カラーインクジェットは、図１１のインクジェットの記録方式とは異なり、マゼンタ、シアン、イエロ、ブラックの４色のインクの量でカラー画像を構成するのではなく、多値誤差拡散法を用いて、各色をある面積に並べて全体的に遠くから見た時に多色を再現している。
さて、カラー読取情報の補正方法については、例えば特開昭６２−７２７０号公報で報告されたものがある。この従来のカラー読取情報の補正方法では、インクの記録特性に応じた記録用の補正手段を設けて構成することにより、読取信号が原稿の色情報を正確に表すようにしている。
【０００８】
また、色分離装置については、例えば特開昭６１−６７３６９号公報で報告されたものがある。この従来の色分離装置では、カラー画像入力装置の色特性を補正する補正データを格納するメモリと、３原色データの各々をメモリの補正データによって補正するように構成している。
また、画像形成装置については、例えば特開平４−１５２７５１号公報で報告されたものがある。この従来の画像形成装置では、所定のテストパターンを書き込む書込手段と、書込手段によってトナー現像されたテストパターンの再現状態にするトナー付着状態測定手段とを備え、測定した測定値を入力し、所定の処理にフィードバックして処理を実施するように構成している。
【０００９】
【発明が解決しようとする課題】
しかしながら、上記したカラーインクジェットを用いた従来のカラーファクシミリ装置では、記録紙の性質からインクの滲みや乾燥性により、見えてほしくない赤味が帯びてしまったり、青味が帯びて見えてしまったりして、記録紙に再現された色が実際のものと異なってしまい、記録紙に記録される色の再現性が低下してしまうという問題があった。特に再生紙やＯＨＰ紙であると、インクを弾いたりしてドットの荒さが見え易かった。
【００１０】
また、上記した特開昭６２−７２７０号公報、特開昭６１−６７３６９号公報及び特開平４−１５２７５１号公報で報告されたものでは、記録紙の性質からインクの滲みや乾燥性により低下する色の再現性を防止することについては一切言及していないうえ、この色の再現性を防止することを目的としたものではなく、結局、上記と同様な問題が生じる。
【００１１】
そこで、本発明は、記録紙に記録されるインクの滲みによる色の再現性を補正して、記録紙に記録される色の再現性を向上させることができるカラーファクシミリ装置を提供することを目的としている。
【００１２】
【課題を解決するための手段】
請求項１記載の発明は、セットされた原稿のカラー画情報を受け取る画像読取手段と、通信相手先からカラー画情報を受信する画像受信手段と、前記画像読取手段で読み取ったカラー画情報または前記画像受信手段で受信したカラー画情報を、カラーインクまたはカラーサーマルを用いて記録紙にカラー記録するカラー記録手段とを有するカラーファクシミリ装置において、相手機の画像読取手段の特性を補正するための補正データテーブルを登録する受信用補正テーブル登録手段と、受信した時に、送信相手先から相手機のデータ番号を受信する場合、前記受信用補正テーブル登録手段からその相手機のデータ番号に対応したデータを補正データテーブルから読み出し、読み出した補正データテーブルのデータに基づいてマスキングデータを設定する設定手段と、デコードされた後のＹ，Ｍ，Ｃデータを設定したマスキングデータに基づいてＹ，Ｍ，Ｃデータを補正する補正手段とを有するとともに、自機読取部の補正テーブルを登録するコピー用登録手段を有し、かつ前記設定手段は、コピー時に前記コピー用登録手段から自機読取部の補正テーブルを読み出し、読み出した補正テーブルのデータに基づいてマスキングデータを設定することを特徴とするものである。
【００１８】
【作用】
請求項１記載の発明では、セットされた原稿のカラー画情報を受け取る画像読取手段と、通信相手先からカラー画情報を受信する画像受信手段と、前記画像読取手段で読み取ったカラー画情報または前記画像受信手段で受信したカラー画情報を、カラーインクまたはカラーサーマルを用いて記録紙にカラー記録するカラー記録手段とを有するカラーファクシミリ装置において、相手機の画像読取手段の特性を補正するための補正データテーブルを登録する受信用補正テーブル登録手段と、受信した時に、送信相手先から相手機のデータ番号を受信する場合、前記受信用補正テーブル登録手段からその相手機のデータ番号に対応したデータを補正データテーブルから読み出し、読み出した補正データテーブルのデータに基づいてマスキングデータを設定する設定手段と、デコードされた後のＹ，Ｍ，Ｃデータを設定したマスキングデータに基づいてＹ，Ｍ，Ｃデータを補正する補正手段とを有するとともに、自機読取部の補正テーブルを登録するコピー用登録手段を有し、かつ前記設定手段は、コピー時に前記コピー用登録手段から自機読取部の補正テーブルを読み出し、読み出した補正テーブルのデータに基づいてマスキングデータを設定するように構成する。
【００２３】
このため、相手機のデータ番号に対応したデータを基にマスキングデータを設定することにより、自機や相手機の読取部や記録部を用いても、相手機の特性を補正することができるので、原稿に忠実な色を再現することができる。
【００２４】
また、コピー時には自機読取部の補正テーブルを基にマスキングデータを設定し、この設定したマスキングデータを基にＹ，Ｍ，Ｃデータを補正して記録を行うことができるので、記録紙の特性やインクの状態等により生じる記録紙でのインクの滲みによる色の再現性を補正することができるので、記録紙に記録される色の再現性を向上させることができる。
【００２９】
【実施例】
以下、本発明の実施例を図面を参照して説明する。
（実施例１）
図１は本発明に係る実施例１のカラーファクシミリ装置の構成を示すブロック図である。
【００３０】
図１において、ファクシミリ装置１は、カラースキャナ部２、カラー記録部３、画像処理部４、符号化復号化部５、画像メモリ６、Ｇ３ＦＡＸモデム７、網制御部８、操作表示部９及びシステム制御部１０等から構成される。
ここで、カラースキャナ部２は、３色の光源を用いて原稿画像を読み取る画像読取手段であり、カラー記録部３は、４色のカラーインク等を用いて普通紙にカラー印字を行う記録手段であり、画像処理部４は、カラースキャナ部２及び受信により得られた画情報より、カラー記録部３で印字を行うために画像処理を行うための手段である。
【００３１】
符号化復号化部５は、所定の符号化方式により画情報をデータ圧縮したり、圧縮データから元の画情報を復元したりする手段であり、画像メモリ６は、画情報を格納する手段であり、Ｇ３ＦＡＸモデム７は、グループ３（Ｇ３）規格の通信手順でファクシミリ通信を実行する手段であり、網制御部８は、電話回線２１に接続され、発着信の際に所定の回線制御を実行する手段である。この網制御部８とＧ３ＦＡＸモデム７は、通信先から画情報を受信する画像受信手段を構成している。
【００３２】
操作表示部９は、ユーザが各種操作を実行したり、装置が動作状態等を表示したりする手段であり、システム制御部１０は、上記各部を監視制御するマイクロコンピュータであり、システムバス１１は、以上の各部を接続する信号ラインである。
次に、画像処理部４の構成を図２を参照して説明する。
【００３３】
画像処理部４は、カラースキャナ部２内の３つのＣＣＤ３１ｒ，３１ｇ，３１ｂで読み取った３色の画像信号を、記録に必要なブラック（ＢＫ）、イエロー（Ｙ）、マゼンタ（Ｍ）及びシアン（Ｃ）の各記録信号に変換する。
画像処理部４は、ＣＣＤ３１ｒ，３１ｇ，３１ｂの出力信号をＡ／Ｄ変換器３２により８ビットにＡ／Ｄ変換した色階調データを入力し、この入力した色階調データの光学的な照度むらや、ＣＣＤ３１ｒ，３１ｇ，３１ｂの内部端子素子の感度ばらつき等に対する補正を実行するシェーディング補正回路３３と、シェーディング補正回路３３の出力する色階調データを入力し、インクの特性に合わせて階調性を変更して６ビットデータとして出力するγ補正回路３４と、γ補正回路３４から出力される赤（Ｒ）、緑（Ｇ）、青（Ｂ）の階調を示す６ビットの階調データを各々の補色であるシアン（Ｃ）、マゼンタ（Ｍ）、イエロー（Ｙ）の階調データ（６ビット）に変換する補色生成回路３５と、補色生成回路３５から出力されるＹ，Ｍ，Ｃの各階調データに所定のマスキング処理を行うマスキング処理回路３６と、マスキング処理後のＹ，Ｍ，Ｃの各階調データを入力してＵＣＲ処理及び黒発生処理を実行するＵＣＲ処理・黒発生回路３７と、ＵＣＲ処理・黒発生回路３７から出力されるＹ，Ｍ，Ｃ及びＢＫの各６ビットの階調データを３ビットの階調データＹ１，Ｍ１，Ｃ１及びＢＫ１に変換し、カラー記録部３に出力する階調処理回路３８と、システム制御部１０からの命令を受け、画像処理部４の各回路の同期をとるための同期制御回路３９とから構成される。
【００３４】
このように、画像処理部４では、カラースキャナ部２から出力される各々の色でビットのばらつきがあるので、シェーディング補正回路３３を用いてビットのばらつきをシェーディング補正し、同じく各々の色でγ（直線性）が異なるので、γ補正回路３４によりγ補正を行う。このγ補正回路３４で出力されるＲ，Ｇ，Ｂが読み取りの３原色の形になり、カラー通信時の画情報になる。
【００３５】
次に、補色生成回路３５で光の組み合わせを替えてＹ，Ｍ，Ｃを生成し、マスキング処理回路３６によりＹ，Ｍ，Ｃの組み合わせの処理を行う。ここで、例えばマゼンタの量やシアンの量を調整する。
次に、マスキング処理回路３６から出力されるＹ，Ｍ，ＣをＵＣＲ処理・黒発生回路３７によりＵＣＲ処理と黒発生処理を行う。なお、ＢＫは、Ｙ，Ｍ，Ｃから取り出すことができないので、別個に取り出す。そして、ＵＣＲ処理・黒発生回路３７から出力されるＹ，Ｍ，Ｃ及びＢＫを階調処理回路３８により階調処理を行い、実際に出力される信号を生成して、カラー記録部３に送る。
【００３６】
階調処理回路３８で使用するアルゴリズムとしては、多値ディザ法、多値誤差拡散法等を適用することができ、例えば、多値ディザ法のディザマトリクスを３×３とすると、階調数は、３×３の面積階調と、３ビット（即ち、８段階）の多値レベルの積となり、次の（１）式に示す如く、
【００３７】
【数１】
0003611611.tif 000002
【００３８】
７２階調となる。
次に、マスキング処理回路３６及びＵＣＲ処理・黒発生回路３７の処理について説明する。マスキング処理回路３６のマスキング処理の演算式は一般に、次の（２）式で表わすことができる。
【００３９】
【数２】
0003611611.tif 000003
【００４０】
但し、Ｙｉ  ，Ｍｉ  ，Ｃｉ  は、マスキング処理前のデータとし、Ｙｏ  ，Ｍｏ  ，Ｃｏ  は、マスキング処理後のデータとする。また、ＵＣＲ処理・黒発生回路３７のＵＣＲ処理の演算式は一般に、次の（３）式で表わすことができる。
【００４１】
【数３】
0003611611.tif 000004
【００４２】
なお、ＵＣＲ処理・黒発生回路３７によるＵＣＲ処理は、面積変調記録における下色を除去する処理である。例えばＣ，Ｍ，Ｙの３色のインクの重なる領域で３色の代わりに黒インクＫを用い、４色の時には、黒インクを持っているので、Ｃ，Ｍ，Ｙの３色から黒の成分を引く。
【００４３】
次に、図３，４は本発明に係る実施例１のマゼンタ，シアン，イエローを用いた各色カラーを印字する場合のテストパターンの例を示す図である。
本実施例のカラーファクシミリ装置は、予めテスト的に印字するモードを内蔵しており、例えば図３，４に示す如く、予め初期設定されたデータでテストパターンを印字する。ユーザは、印字されたテストパターンの記録紙をカラースキャナ部２にセットして、カラースキャナ部２で画像を読み取らせ、この読み取った印字データを、前述した画像処理部４のシェーディング補正回路３３、γ補正回路３４及び補色生成回路３５を通してＹ，Ｍ，Ｃデータに変換する。
【００４４】
次に、この変換されたＹ，Ｍ，Ｃデータを基に初期設定されているマスキングデータテーブルを修正して、メモリに蓄積する。例えば、記録紙が標準紙ではなく再生紙等を使用して初期設定時のものと異なる時に、印字したテストパターンのデータが予め初期設定されたデータとずれている部分を差分を使って、マスキングデータテーブルを修正することにより補正を行う。
【００４５】
次に、図５は本発明に係る実施例１の補正手段の構成を示す図である。
本実施例のカラーファクシミリ装置は、初期設定されたマスキング処理より、印字されたテストパターンをカラースキャナ部２より読み取る。このカラースキャナ部２で読み取られたＲ，Ｇ，Ｂデータを、補色生成回路３５を用いてＹ，Ｍ，Ｃデータに変換する。
【００４６】
次に、この補色生成回路３５で変換されたＹ，Ｍ，Ｃデータより、初期設定したマスキング処理回路３６のマスキング処理データテーブルを修正し、メモリに蓄積する。そして、以降メモリに蓄積したデータテーブルを用いてカラー記録部３で記録を行う。
ここでは、補色生成回路３５により生成したＲ，Ｇ，Ｂの比率が１対１対１になるようなデータをマスキング処理回路３６に初期設定してカラー記録部３で印字する。印字したデータが、例えばＢのレベルが低下している時は、低下しているＢのレベルを上げて補色生成するか、若しくはＲ，Ｇのレベルを下げて補色生成する。ここでは、実際、印字したデータと初期設定されているデータを比較して補正をかけており、Ｒ，Ｇ，Ｂの比率が常に１対１対１になるような補正をかけたデータを印字している。
【００４７】
次に、図６は本発明に係る実施例１の処理フローを示すフローチャートである。
本実施例では、まず、理論値に対して色比率を補正するマスキング処理データの初期値を設定し（ステップＳ１）、前述した図３，４に示す如く、テストパターンを印字し（ステップＳ２）、ユーザがカラースキャナ部２に再度設定すると（ステップＳ３）、カラースキャナ部２によりテストパターンを読み取ってＲ，Ｇ，Ｂデータを生成する（ステップＳ４）。
【００４８】
次に、生成したＲ，Ｇ，Ｂデータから補色生成回路３５によりＹ，Ｍ，Ｃを生成し（ステップＳ５）、このＹ，Ｍ，Ｃのレベルを検出し、この検出したＹ，Ｍ，Ｃのレベルを基に、マスキング処理データを修正する（ステップＳ６）。そして、その修正したデータテーブルを用いて記録を行う。
この処理フローは、ユーザが操作表示部９の色調整キーを押すことにより動作し、まず、記録紙を１枚処理することにより、その紙に合ったデータでそれ以降の紙を印字するようになっている。
【００４９】
このように、本実施例では、初期設定されたマスキング処理により、印字されたテストパターンをカラースキャナ部２より読み取り、このカラースキャナ部２で読み取られたＲＧＢデータを、補色生成回路３５を用いてＹＭＣデータに変換し、この補色生成回路３５で変換されたＹＭＣデータより、初期設定したマスキング処理回路３６のマスキング処理データテーブルを修正してメモリに蓄積し、これ以降メモリに蓄積したデータテーブルを用いてカラー記録部３で記録を行うように構成している。
【００５０】
このため、記録した記録紙の状態からマスキング処理データテーブルを補正することにより、記録紙の特性やインクの状態等により生じる記録紙でのインクの滲みによる色の再現性を補正することができるので、記録紙に記録される色の再現性を向上させることができる。
なお、上記実施例１では、記録したテストパターンの再現状態をカラースキャナ部２により読み取り、読み取ったテストパターンのＲ，Ｇ，Ｂデータを補色生成回路３５を用いて、Ｙ，Ｍ，Ｃデータに変換する場合について説明したが、本発明においては、フィルターを変えて記録したテストパターンから一度にＹ，Ｍ，Ｃデータを読み取り、この読み取ったＹ，Ｍ，Ｃデータを基に初期設定したマスキング処理データテーブルを修正して補正するように構成してもよく、この場合も、上記実施例１と同様の効果を得ることができる。
【００５１】
上記各実施例では、図６に示す処理フローをユーザが操作表示部９の色調整キーを押すことにより、図６に示す処理フローを動作させている場合を説明したが、本発明においては、記録紙の交換を検出するセンサーを設け、このセンサーにより記録紙の交換を検出した時に、図６に示す処理フローを自動的に動作させるように構成してもよく、この場合、ユーザが一々操作表示部９で設定することなく、記録紙を交換する時に、図６に示す処理フローを自動的に、かつ効率良く動作させることができる。
（実施例２）
次に、図７は本発明に係る実施例２のマスキング補正テーブルを示す図、図８は本発明に係る実施例２の処理フローを示すフローチャートである。本実施例も、図１，２に示すカラーファクシミリ装置に適用させることができる。
【００５２】
実施例１は、自機側での色の再現性を補正する場合であり、相手機側の特性が判らず補正することができない。そこで、本実施例では、コピー時用の補正テーブルと、送信相手の読取部の特性を補正するための複数個の受信時用の補正テーブルを備えて構成している。
本実施例では、図７に示す如く、予め代表的な補正テーブルを作成してメモリに蓄積しておき、受信時には受信用の補正テーブルをメモリから読み出し、コピー時にはコピー用の補正テーブルをメモリから読み出してコピー時と受信時でデータテーブルを切り替えている。
【００５３】
本実施例では、まず、印刷動作が開始し、受信した時（ステップＳ１１）、送信相手先から相手機のデータＮｏを受信すると（ステップＳ１２）、メモリの補正テーブル４１からその相手機のデータＮｏに対応した受信用補正テーブルを読み出す（ステップＳ１３）。
次に、読み出した受信用補正テーブルのデータを基に、マスキング処理回路３６でマスキングデータを設定した後（ステップＳ１４）、設定したマスキングデータを基にＹ，Ｍ，Ｃデータを補正する（ステップＳ１５）。
【００５４】
一方、印刷動作が開始し、コピーを行った時（ステップＳ１１）、メモリの補正テーブル４１から自機読取部のコピー用補正テーブルを読み出し（ステップＳ１６）、読み出したコピー用補正テーブルのデータを基に、マスキング処理回路３６でマスキングデータを設定した後（ステップＳ１４）、設定したマスキングデータを基にＹ，Ｍ，Ｃデータを補正する（ステップＳ１５）。
【００５５】
また、受信時に相手機のデータＮｏを受信しない時（ステップＳ１１，Ｓ１２）、メモリの補正テーブル４１からテーブル２（あるいはテーブル３等）を読み出し（ステップＳ１７）、読み出したテーブル２のデータを基に、マスキング処理回路３６でマスキングデータを設定した後（ステップＳ１４）、設定したマスキングデータを基にＹ，Ｍ，Ｃデータを補正する（ステップＳ１５）。
【００５６】
このように、本実施例では、受信時に送信相手先から相手機のデータＮｏを受信すると、メモリの補正テーブル４１からその相手機のデータＮｏに対応したデータを受信用補正テーブルから読み出し、読み出した受信用補正テーブルのデータを基にマスキング処理回路３６でマスキングデータを設定した後、設定したマスキングデータを基にＹ，Ｍ，Ｃデータを補正し、補正したＹ，Ｍ，Ｃデータを用いてカラー記録部３で記録を行うように構成している。
【００５７】
このため、受信時に相手機のデータＮｏに対応した補正テーブルを基にマスキングデータを設定することにより、自機や相手機の読取部や記録部を用いても、相手機の特性を補正することができるので、原稿に忠実な色を再現することができる。
本実施例は、コピー時にメモリの補正テーブル４１から自動読取部のコピー用補正テーブルを読み出し、この読み出したコピー用補正テーブルのデータを基に、マスキング処理回路３６でマスキングデータを設定した後、設定したマスキングデータを基にＹ，Ｍ，Ｃデータを補正し、補正したＹ，Ｍ，Ｃを用いてカラー記録部３で記録を行うように構成している。
【００５８】
このため、コピー時に自機読取部のコピー用補正テーブルを基にマスキングデータを設定することにより、記録紙の特性やインクの状態等により生じる記録紙でのインクの滲みによる色の再現性を補正することができるので、記録紙に記録される色の再現性を向上させることができる。
（実施例３）
次に、図９は本発明に係る実施例３のマスキング補正テーブルを示す図、図１０は本発明に係る実施例３の処理フローを示すフローチャートである。本実施例も、図１，２に示すカラーファクシミリ装置に適用させることができる。
【００５９】
実施例１は、自機側での色の再現性を補正する場合であり、相手機側の特性が判らず補正することができない。そこで、本実施例では、図７に示す実施例２と同様なコピー時用の補正テーブルと、図９に示す如く、送信相手の電話番号に対応した画像読取部の特性を補正するための複数個の受信時用の補正テーブル５１がメモリに登録されている。
【００６０】
本実施例では、図９に示す如く、予め代表的な補正テーブル５１を作成してメモリに蓄積しておき、受信時には送信相手から送信される電話番号に対応した補正テーブルをメモリから読み出し、コピー時には実施例２と同様コピー用補正テーブルをメモリから読み出して、コピー時と受信時でデータテーブルを切り替えている。
【００６１】
本実施例では、まず、印刷動作が開始し、受信した時（ステップＳ２１）、送信相手先から相手機の電話Ｎｏを受信すると（ステップＳ２２）、メモリの補正テーブル５１からその相手機の電話Ｎｏに対応した補正テーブルを読み出す（ステップＳ２３）。
次に、読み出した補正テーブルのデータを基に、マスキング処理回路３６でマスキングデータを設定した後（ステップＳ２４）、設定したマスキングデータを基にＹ，Ｍ，Ｃデータを補正する（ステップＳ２５）。
【００６２】
一方、印刷動作が開始し、コピーを行った時（ステップＳ２１）、図７の実施例２と同様メモリの補正テーブル４１から自機読取部のコピー用補正テーブルを読み出し（ステップＳ２６）、読み出したコピー用補正テーブルのデータを基に、マスキング処理回路３６でマスキングデータを設定した後（ステップＳ２４）、設定したマスキングデータを基にＹ，Ｍ，Ｃデータを補正する（ステップＳ２５）。
【００６３】
また、受信時に相手機の電話Ｎｏを受信しない時（ステップＳ２１，Ｓ２２）、図７の実施例２と同様メモリの補正テーブル４１からテーブル２（あるいはテーブル３等）を読み出し（ステップＳ２７）、読み出したテーブル２のデータを基に、マスキング処理回路３６でマスキングデータを設定した後（ステップＳ２４）、設定したマスキングデータを基にＹ，Ｍ，Ｃデータを補正する（ステップＳ２５）。
【００６４】
このように、本実施例では、受信時に送信相手先から相手機の電話Ｎｏを受信すると、メモリの補正テーブル５１からその相手機の電話Ｎｏに対応したデータを補正テーブルから読み出し、読み出した補正テーブルのデータを基にマスキング処理回路３６でマスキングデータを設定した後、設定したマスキングデータを基にＹ，Ｍ，Ｃデータを補正し、補正したＹ，Ｍ，Ｃデータを用いてカラー記録部３で記録を行うように構成している。
このため、相手機の電話Ｎｏに対応した補正テーブルを基にマスキングデータを設定することにより、自機や相手機の読取部や記録部を用いても、相手機の特性を補正することができるので、原稿に忠実な色を再現することができる。
【００６５】
本実施例は、コピー時にメモリの補正テーブル４１から自動読取部の補正テーブルを読み出し、この読み出した補正テーブルのデータを基に、マスキング処理回路３６でマスキングデータを設定した後、設定したマスキングデータを基にＹ，Ｍ，Ｃデータを補正し、補正したＹ，Ｍ，Ｃデータを用いてカラー記録部３で記録を行うように構成している。
【００６６】
このため、コピー時に自機読取部のコピー用補正テーブルを基にマスキングデータを設定することができるので、記録紙の特性やインクの状態等により生じる記録紙でのインクの滲みによる色の再現性を補正することができるので、記録紙に記録される色の再現性を向上させることができる。
なお、上記実施例２，３では、受信時に送信相手先から送信されてくる相手機のデータＮｏ、電話番号に対応した補正テーブルを基に、マスキングデータを設定してＹ，Ｍ，Ｃデータを補正する場合について説明したが、本発明においては、送信相手先から非標準で送信してくる相手機の補正テーブルを基にマスキング処理回路３６で相手機のスキャナ部の色補正データを設定した後、設定した色補正データを基にＹ，Ｍ，Ｃデータを補正し、補正したＹ，Ｍ，Ｃデータを用いてカラー記録部３で記録を行うように構成してもよい。
【００６７】
この場合、送信相手先から非標準で送信してくる相手機の補正テーブルを基にマスキングデータを設定することにより、自機や相手機の読取部や記録部を用いても、相手機の特性を補正することができるので、原稿に忠実な色を再現することができる。
また、本発明においては、送信相手先から非標準で送信してくる相手機の補正テーブルを相手機の電話番号に対応させてメモリに予め登録しておき、受信時に送信相手先から相手機の電話番号を受信すると、メモリからその相手機の電話番号に対応した相手機の補正テーブルを読み出し、読み出した相手機の補正テーブルを基にマスキング処理回路３６で相手機のスキャナ部の色補正データを設定した後、設定した色補正データを基にＹ，Ｍ，Ｃデータを補正し、補正したＹ，Ｍ，Ｃデータを用いてカラー記録部３で記録を行うように構成してもよい。
【００６８】
この場合、相手機の電話番号に対応した相手機の補正テーブルを基にマスキングデータを設定することにより、自機や相手機の読取部や記録部を用いても、相手機の特性を補正することができるので、原稿に忠実な色を再現することができる。
なお、上記各実施例では、カラーインクを用いて記録紙にカラー記録するように構成する場合について説明したが、本発明はこれのみに限定されるものではなく、カラーサーマルを用いて記録紙にカラー記録するように構成してもよい。ここでのカラーインクは、カラーインクリボンを含む。
【００６９】
【発明の効果】
本発明によれば、記録紙に記録されるインクの滲みによる色の再現性を補正して、記録紙に記録される色の再現性を向上させることができるという効果がある。
【図面の簡単な説明】
【図１】本発明に係る実施例１のカラーファクシミリ装置の構成を示すブロック図である。
【図２】図１に示すカラーファクシミリ装置のカラースキャナ部と画像処理部の構成を示すブロック図である。
【図３】本発明に係る実施例１のマゼンタ、シアン、イエローを用いた多色カラーを印字する場合のテストパターンの例を示す図である。
【図４】本発明に係る実施例１のマゼンタ、シアン、イエローを用いた多色カラーを印字する場合のテストパターンの例を示す図である。
【図５】本発明に係る実施例１の補正手段の構成を示す図である。
【図６】本発明に係る実施例１の処理フローを示すフローチャートである。
【図７】本発明に係る実施例２のマスキング補正テーブルを示す図である。
【図８】本発明に係る実施例２の処理フローを示すフローチャートである。
【図９】本発明に係る実施例３のマスキング補正テーブルを示す図である。
【図１０】本発明に係る実施例３の処理フローを示すフローチャートである。
【図１１】インクジェットのノズルからインクの玉を噴出して記録紙に記録する様子を示す図である。
【符号の説明】
１    ファクシミリ装置
２    カラースキャナ部
３    カラー記録部
４    画像処理部
５    符号化復号化部
６    画像メモリ
７    Ｇ３ＦＡＸモデム
８    網制御部
９    操作表示部
１０    システム制御部
１１    システムバス
２１    電話回線
３１ｒ，３１ｇ，３１ｂ    ＣＣＤ
３２    Ａ／Ｄ変換器
３３    シェーディング補正回路
３４    γ補正回路
３５    補色生成回路
３６    マスキング処理回路
３７    ＵＣＲ処理・黒発生回路
３８    階調処理回路
３９    周期制御回路
４１，５１    補正テーブル
【図１】
0003611611.tif 000005
【図２】
0003611611.tif 000006
【図３】
0003611611.tif 000007
【図４】
0003611611.tif 000008
【図５】
0003611611.tif 000009
【図６】
0003611611.tif 000010
【図７】
0003611611.tif 000011
【図８】
0003611611.tif 000012
【図９】
0003611611.tif 000013
【図１０】
0003611611.tif 000014
【図１１】
0003611611.tif 000015